(57)【特許請求の範囲】
【請求項１】
記録媒体に対して情報の記録・再生を行う情報記録再生装置に組み込まれ、前記情報の符号化・復号化処理を行い、前記記録媒体への記録信号の特性判定が行われる信号処理ユニットであり、
記録される情報に対して、所定のフォーマットに従って、アドレス情報を含む諸情報を付加し、所定のスクランブルコードによりスクランブル処理を行い、誤り訂正符号及び誤り検出符号を付加して符号化を行う符号化手段と、
該符号化手段により符号化された前記情報を、予め設定した所定の変調方式で変調することにより、前記記録媒体への記録信号を生成する記録信号生成手段と、
該記録信号作成手段で作成された記録信号を前記記録媒体に記録する書込基準クロックを生成するＰＬＬと、
前記記録信号のランレングスを、前記書込基準クロックに基づいて計測するランレングス計測手段と、
該ランレングス計測手段が計測した特定ランレングスの所定期間内の発生頻度を集計する集計手段と、
該集計手段が集計した前記発生頻度を外部から読み取る読取手段と
を有することを特徴とする信号処理ユニット。
【請求項２】
記録信号のＤＳＶ値を計測するＤＳＶ値計測手段が、さらに設けられ、読取り手段が前記ＤＳＶ値をも外部から読み取ることを特徴とする請求項１記載の信号処理ユニット。
【請求項３】
記録される情報の所定量を、検査用所定情報として、予め格納する第１の格納手段がさらに設けられていることを特徴とする請求項１または請求項２記載の信号処理ユニット。
【請求項４】
符号化された変調前の情報の所定量を、検査用変調前情報として予め格納する第２の格納手段がさらに設けられていることを特徴とする請求項１または請求項２記載の信号処理ユニット。
【請求項５】
請求項３記載の信号処理ユニットの検査方法であり、
第１の格納手段から読み出した検査用所定情報に基づいて、記録信号生成手段により記録信号を所定時間生成させる生成ステップと、
該生成ステップで生成される記録信号のランレングスごとの発生頻度を読取り、正常発生頻度の期待値と比較して、信号処理ユニットの正常性を判定する判定ステップと
を有することを特徴とする信号処理ユニットの検査方法。
【請求項６】
請求項４記載の信号処理ユニットの検査方法であり、
第２の格納手段から読み出された検査用変調前情報に基づいて、記録信号生成手段により記録信号を所定時間発生させる生成ステップと、
該生成ステップで生成される記録信号のランレングスごとの発生頻度を読取り、正常発生頻度の期待値と比較して、信号処理ユニットの正常性を判定する判定ステップと
を有することを特徴とする信号処理ユニットの検査方法。
【請求項７】
請求項３記載の信号処理ユニットの検査方法であり、
第１の格納手段から読み出された検査用所定情報に基づいて、記録信号生成手段により記録信号を所定時間発生させる生成ステップと、
該生成ステップで生成される記録信号のＤＳＶ値を読取り、正常時のＤＳＶ値の期待値と比較して、信号処理ユニットの正常性を判定する判定ステップと
を有することを特徴とする信号処理ユニットの検査方法。
【請求項８】
請求項４記載の信号処理ユニットの検査方法であり、
第２の格納手段から読み出された検査用変調前情報に基づいて、記録信号生成手段により記録信号を所定時間発生させる生成ステップと、
該生成ステップで生成される記録信号のＤＳＶ値を読取り、正常時のＤＳＶ値の期待値と比較して、信号処理ユニットの正常性を判定する判定ステップと
を有することを特徴とする信号処理ユニットの検査方法。
【請求項９】
ＰＬＬを発振周波数一定となる制御で動作させ、実際の記録動作と同一の発振周波数で、書込基準クロックを発生させ、該基準クロックに基づき作成される記録信号によって、請求項５ないし請求項８の何れかに記載の信号処理ユニットの検査を行うことを特徴とする信号処理ユニットの検査方法。
【発明の詳細な説明】
【技術分野】
【０００１】
本発明は、情報記録再生装置に組み込まれ、記録媒体への記録信号の信号処理を行う信号処理ユニットとその検査方法に関する。
【背景技術】
【０００２】
情報記録再生装置による光ディスクなどの記録媒体に対する情報の記録時の符号化方法や変調方法は近年著しく進歩し、記録密度の向上、再生時の閾値のふらつきによる読出エラーの発生や記録・再生時のサーボエラー信号の変動防止などが実現されつつあり、情報記録再生装置の符号化回路や変調回路を含む信号処理回路はＬＳＩ化されると共に、記録媒体に対する情報の記録速度が急速に高速化されている。
例えば、データの書込が可能なＣＤ−Ｒ、ＣＤ−ＲＷなどのＣＤでは、１倍速記録時の書込基準クロックはほぼ４．３ＭＨｚであるが、現在普及している４８倍速記録装置では、書込基準クロックは２００ＭＨｚを越えることになる。同様にＤＶＤ−Ｒ、ＤＶＤ−ＲＷなどのＤＶＤでは、１倍速記録時の書込基準クロックはほぼ２６．２ＭＨｚであり、これが１６倍速記録装置になると、書込基準クロック４００ＭＨｚを越えることになる。
このことに関連して、例えば、後記する特許文献１には、ＤＶＤに使用されるデジタル変調装置として、変換すべきデータ語に対して、複数の変換表から、所定のラン長制限を満足し、ＮＲＺＩ信号の低周波成分の抑圧が最大の符号語が得られる変換表が選択され、選択された変換表に基づいてデータ語を符号語に変換するデジタル変調装置が開示されている。
【０００３】
ところで、この種の情報記録再生装置のＬＳＩ化された信号処理回路では、製造工程内において、専用のＬＳＩテスタを使用して正常動作の検査が行われているが、ＬＳＩテスタは、動作時周波数と動作判定を行う場合のＬＳＩ出力の判定精度とに限界があり、書込基準クロックが前述のように、４００ＭＨｚを越えるようになると、性能限界を越えてしまい実動作速度での高精度の検査が困難になっている。
一般に情報記録再生装置の信号処理回路のＬＳＩは、機能が１チップ化されデータ再生の信号処理回路も含まれているので、エンコードデータ処理回路の最終出力信号を、ＲＦ信号の２値化後の再生信号に代えて、再生信号処理回路に入力し、再生結果を判断することにより、同一ＬＳＩ内でエンコードデータ処理回路と再生信号処理回路を同時に検査することも考えられる。
しかし、エンコードデータ処理回路の最終出力信号である記録信号を、再生信号処理回路に入力して検査する方法では、必ずしもエンコードデータ処理回路の機能が検査できるものではない。例えば、回路が故障しＤＳＶ値（Ｄｉｇｉｔａｌ  Ｓｕｍ  Ｖａｌｕｅ）が最適になるような変調コードが選択されなくても、ディスク再生信号処理回路は正常な再生動作を行う場合もある。
また、エンコードデータ処理回路と再生信号処理回路は共通に使用可能な回路が多いが、前述のような検査を行う場合には、それぞれが同時に動作する必要があり、共通に使用可能な回路も別々に設ける必要があり、回路点数が増大するという問題もある。
【０００４】
ディスク再生装置の動作検査に関しては、後記する特許文献２には、所定周波数の基準クロックに基づき疑似ＥＭＦ信号を作成し、通常モードとテストモードの選択により、セレクタ部により外部からの再生信号或いは疑似ＥＦＭ信号が選択されて、ＤＳＰに入力され、再生動作の動作確認を行うディスク再生装置が開示されている。
【特許文献１】特開平９−１６７４４号公報
【特許文献２】特開平１０−３１２６３７号公報
【発明の開示】
【発明が解決しようとする課題】
【０００５】
特許文献１には、情報記録再生装置の信号処理ユニットの検査の技術的思想は存在せず、また、特許文献２によるとＬＳＩテスタの性能を越える高速度で動作するＬＳＩに適用可能であるが、再生動作に限定されると共に、回路構成が複雑になるという問題がある。
【０００６】
本発明は、前述したようなこの種の情報記録再生装置の信号処理ユニットの正常動作の検査の現状に鑑みてなされたものであり、その第１の目的は、ＬＳＩテスタの性能を越える高速度で動作し、その動作特性を外部から簡単に読取可能な情報記録再生装置の信号処理ユニットを提供することにある。
また、本発明の第２の目的は、ＬＳＩテスタの性能を越える高速度で動作する情報記録再生装置の信号処理ユニットの高精度の検査を、簡単な手順で効率的に行うことが可能な検査方法を提供することにある。
【課題を解決するための手段】
【０００７】
前記第１の目的を達成するために、請求項１記載の第１の発明は、記録媒体に対して情報の記録・再生を行う情報記録再生装置に組み込まれ、前記情報の符号化・復号化処理を行い、前記記録媒体への記録信号の特性判定が行われる信号処理ユニットであり、記録される情報に対して、所定のフォーマットに従って、アドレス情報を含む諸情報を付加し、所定のスクランブルコードによりスクランブル処理を行い、誤り訂正符号及び誤り検出符号を付加して符号化を行う符号化手段と、該符号化手段により符号化された前記情報を、予め設定した所定の変調方式で変調することにより、前記記録媒体への記録信号を生成する記録信号生成手段と、該記録信号作成手段で作成された記録信号を前記記録媒体に記録する書込基準クロックを生成するＰＬＬと、前記記録信号のランレングスを、前記書込基準クロックに基づいて計測するランレングス計測手段と、該ランレングス計測手段が計測した特定ランレングスの所定期間内の発生頻度を集計する集計手段と、該集計手段が集計した前記発生頻度を外部から読み取る読取手段とを有することを特徴とするものである。
【０００８】
第１の発明に係る信号処理ユニットは、記録媒体に対して情報の記録・再生を行う情報記録再生装置に組み込まれ、情報の符号化・復号化処理を行い、記録媒体への記録信号の特性判定が行われるが、符号化手段によって、記録される情報に対して、所定のフォーマットに従って、アドレス情報を含む諸情報が付加され、所定のスクランブルコードによりスクランブル処理が行われ、誤り訂正符号及び誤り検出符号が付加されて符号化が行われ、記録信号生成手段によって、符号化手段により符号化された情報が、予め設定した所定の変調方式で変調されて、記録媒体への記録信号が生成され、ＰＬＬにより生成された書込基ランレングス計測手段準クロックによって、信号作成手段で作成された記録信号が記録媒体に記録される。そして、ランレングス計測手段によって、記録信号のランレングスが、書込基準クロックに基づいて計測され、集計手段によって、ランレングス計測手段が計測した特定ランレングスの所定期間内の発生頻度が集計され、読取手段によって、集計手段が集計した発生頻度が、ＬＳＩテスタの性能を越える高速度で動作する情報記録再生装置の信号処理ユニットの記録媒体への記録信号の特性を示すデータとして外部から読み取られる。
【０００９】
同様に前記第１の目的を達成するために、請求項２記載の第２の発明は、記録信号のＤＳＶ値を計測するＤＳＶ値計測手段が、第１の発明にさらに設けられ、読取り手段が前記ＤＳＶ値をも外部から読み取ることを特徴とするものである。
【００１０】
第２の発明によると、第１の発明での作用に加えて、読取手段によって、ＤＳＶ値計測手段が計測したＤＳＶ値が、ＬＳＩテスタの性能を越える高速度で動作する情報記録再生装置の信号処理ユニットの記録媒体への記録信号の特性を示すデータとして外部から読み取られる。
【００１１】
同様に前記第１の目的を達成するために、請求項３記載の第３の発明は、第１の発明または第２の発明に対して、記録される情報の所定量を検査用所定情報として、予め格納する第１の格納手段がさらに設けられていることを特徴とするものである。
【００１２】
第３の発明によると、第１の発明或いは第２の発明での作用に加えて、第１の格納手段から、検査用所定情報が読み出され、読み出された検査用所定情報を使用することにより、記録される情報の外部からの取り込みを不要として、記録媒体への記録信号の特性を示すデータが外部から容易に読み取られる。
【００１３】
同様に前記第１の目的を達成するために、請求項４記載の第４の発明は、第１の発明または第２の発明に対して、符号化された変調前の情報の所定量を検査用変調前情報として、予め格納する第２の格納手段がさらに設けられていることを特徴とするものである。
【００１４】
第４の発明によると、第１の発明或いは第２の発明での作用に加えて、第２の格納手段から、検査用所定情報が読み出され、読み出された検査用変調前情報を使用することにより、記録される情報の外部からの取り込みと符号化処理を不要として、記録媒体への記録信号の特性を示すデータが、外部からより容易に読み取られる。
【００１５】
前記第２の目的を達成するために、請求項５記載の第５の発明は、第３の発明の信号処理ユニットの検査方法であり、第１の格納手段から読み出した検査用所定情報に基づいて、記録信号生成手段により記録信号を所定時間生成させる生成ステップと、該生成ステップで生成される記録信号のランレングスごとの発生頻度を読取り、正常発生頻度の期待値と比較して、信号処理ユニットの正常性を判定する判定ステップとを有することを特徴とするものである。
【００１６】
第５の発明によると、第３の発明の信号処理ユニットに対して、生成ステップで、第１の格納手段から読み出した検査用所定情報に基づいて、記録信号生成手段により記録信号を所定時間生成させ、判定ステップで、生成ステップで生成される記録信号のランレングスごとの発生頻度を読取り、正常発生頻度の期待値と比較して、信号処理ユニットの正常性が判定されて、第３の発明のＬＳＩテスタの性能を越える高速度で動作する情報記録再生装置の信号処理ユニットの高精度の検査が、記録される情報の外部からの取り込みなしに効率的に実行される。
【００１７】
同様に前記第２の目的を達成するために、請求項６記載の第６の発明は、第４の発明の信号処理ユニットの検査方法であり、第２の格納手段から読み出された検査用変調前情報に基づいて、記録信号生成手段により記録信号を所定時間発生させる生成ステップと、該生成ステップで生成される記録信号のランレングスごとの発生頻度を読取り、正常発生頻度の期待値と比較して、信号処理ユニットの正常性を判定する判定ステップとを有することを特徴とするものである。
【００１８】
第６の発明によると、第４の発明の信号処理ユニットに対して、生成ステップで、第２の格納手段から読み出された検査用変調前情報に基づいて、記録信号生成手段により記録信号を所定時間発生させ、判定ステップで、生成ステップで生成される記録信号のランレングスごとの発生頻度を読取り、正常発生頻度の期待値と比較して、信号処理ユニットの正常性が判定されて、第４の発明のＬＳＩテスタの性能を越える高速度で動作する情報記録再生装置の信号処理ユニットの高精度の検査が、記録される情報の外部からの取り込みと符号化処理なしにより効率的に実行される。
【００１９】
同様に前記第２の目的を達成するために、請求項７記載の第７の発明は、第３の発明の信号処理ユニットの検査方法であり、第１の格納手段から読み出された検査用所定情報に基づいて、記録信号生成手段により記録信号を所定時間発生させる生成ステップと、該生成ステップで生成される記録信号のＤＳＶ値を読取り、正常時のＤＳＶ値の期待値と比較して、信号処理ユニットの正常性を判定する判定ステップとを有することを特徴とするものである。
【００２０】
第７の発明によると、第３の発明の信号処理ユニットに対して、生成ステップで、第１の格納手段から読み出された検査用所定情報に基づいて、記録信号生成手段により記録信号を所定時間発生させ、判定ステップで、生成ステップで生成される記録信号のＤＳＶ値を読取り、正常時のＤＳＶ値の期待値と比較して、信号処理ユニットの正常性が判定されて、第３の発明のＬＳＩテスタの性能を越える高速度で動作する情報記録再生装置の信号処理ユニットの高精度の検査が、記録される情報の外部からの取込なしに効率的に実行される。
【００２１】
同様に前記第２の目的を達成するために、請求項８記載の第８の発明は、第４の発明の信号処理ユニットの検査方法であり、第２の格納手段から読み出された検査用変調前情報に基づいて、記録信号生成手段により記録信号を所定時間発生させる生成ステップと、該生成ステップで生成される記録信号のＤＳＶ値を読取り、正常時のＤＳＶ値の期待値と比較して、信号処理ユニットの正常性を判定する判定ステップとを有することを特徴とするものである。
【００２２】
第８の発明によると、第４の発明の信号処理ユニットに対して、生成ステップで、第２の格納手段から読み出された検査用変調前情報に基づいて、記録信号生成手段により記録信号を所定時間発生させ、判定ステップで、生成ステップで生成される記録信号のＤＳＶ値を読取り、正常時のＤＳＶ値の期待値と比較して、信号処理ユニットの正常性が判定されて、第４の発明のＬＳＩテスタの性能を越える高速度で動作する情報記録再生装置の信号処理ユニットの高精度の検査が、記録される情報の外部からの取り込みと符号化処理なしにより効率的に実行される。
【００２３】
同様に前記第２の目的を達成するために、請求項９記載の第９の発明は、ＰＬＬを発振周波数一定となる制御で動作させ、実際の記録動作と同一の発振周波数で、書込基準クロックを発生させ、該基準クロックに基づき作成される記録信号によって、第５の発明ないし第８の発明の何れかの発明の信号処理ユニットの検査を行うことを特徴とするものである。
【００２４】
第９の発明によると、第５の発明ないし第８の発明の何れかの発明での作用に加えて、ＰＬＬを発振周波数一定となる制御で動作させ、実際の記録動作と同一の発振周波数で、書込基準クロックを発生させ、該基準クロックに基づき作成される記録信号によって、信号処理ユニットの検査が、実記録時と同様の基準クロックでの動作雰囲気下で行われる。
【発明の効果】
【００２５】
第１の発明、即ち、記録媒体に対して情報の記録・再生を行う情報記録再生装置に組み込まれ、前記情報の符号化・復号化処理を行い、前記記録媒体への記録信号の特性判定が行われる信号処理ユニットであり、記録される情報に対して、所定のフォーマットに従って、アドレス情報を含む諸情報を付加し、所定のスクランブルコードによりスクランブル処理を行い、誤り訂正符号及び誤り検出符号を付加して符号化を行う符号化手段と、該符号化手段により符号化された前記情報を、予め設定した所定の変調方式で変調することにより、前記記録媒体への記録信号を生成する記録信号生成手段と、該記録信号作成手段で作成された記録信号を前記記録媒体に記録する書込基準クロックを生成するＰＬＬと、前記記録信号のランレングスを、前記書込基準クロックに基づいて計測するランレングス計測手段と、該ランレングス計測手段が計測した特定ランレングスの所定期間内の発生頻度を集計する集計手段と、該集計手段が集計した前記発生頻度を外部から読み取る読取手段とを有することを特徴とする発明の効果は以下の通りである。
【００２６】
第１の発明によると、符号化手段によって、記録される情報に対して、所定のフォーマットに従って、アドレス情報を含む諸情報が付加され、所定のスクランブルコードによりスクランブル処理が行われ、誤り訂正符号及び誤り検出符号が付加されて符号化が行われ、符号化された情報が、記録信号生成手段によって、予め設定した所定の変調方式で変調されて、記録媒体への記録信号が生成され、ＰＬＬにより生成された書込基ランレングス計測手段準クロックによって、信号作成手段で作成された記録信号が記録媒体に記録される。
この場合、第１の発明によると、ランレングス計測手段によって、記録信号のランレングスが、書込基準クロックに基づいて計測され、集計手段によって、ランレングス計測手段が計測した特定ランレングスの所定期間内の発生頻度が集計されるので、集計された発生頻度を信号処理ユニットの記録信号の特性データとして、読取手段によって外部から読み取ることにより、ＬＳＩテスタの性能を越える高速度で動作する情報記録再生装置の信号処理ユニットの第１の特性の判定を効率的に行うことが可能になる。
【００２７】
第１の発明に、記録信号のＤＳＶ値を計測するＤＳＶ値計測手段がさらに設けられた第２の発明によると、第１の発明で得られる効果に加えて、読取手段によって、ＤＳＶ値計測手段が計測したＤＳＶ値を、記録媒体への記録信号の特性データとして、読取手段によって外部から読み取ることによって、ＬＳＩテスタの性能を越える高速度で動作する情報記録再生装置の信号処理ユニットの第２の特性の判定を効率的に行うことも可能になる。
【００２８】
第１の発明または第２の発明に対して、記録される情報の所定量を検査用所定情報として、予め格納する第１の格納手段がさらに設けられている第３の発明によると、第１の発明或いは第２の発明で得られる効果に加えて、第１の格納手段から、検査用所定情報が読み出され、読み出された検査用所定情報を使用することにより、記録される情報の外部からの取り込みを不要として、記録媒体への記録信号の特性を判定するデータを外部から容易に読み取ることが可能になる。
【００２９】
第１の発明または第２の発明に対して、符号化された変調前の情報の所定量を検査用変調前情報として、予め格納する第２の格納手段がさらに設けられている第４の発明によると、第１の発明或いは第２の発明で得られる効果に加えて、第２の格納手段から、検査用所定情報が読み出され、読み出された検査用変調前情報を使用することにより、記録される情報の外部からの取り込みと符号化処理を不要として、記録媒体への記録信号の特性を判定するデータを、外部からより容易に読み取ることが可能になる。
【００３０】
第５の発明によると、第３の発明の信号処理ユニットに対して、生成ステップで、第１の格納手段から読み出した検査用所定情報に基づいて、記録信号生成手段により記録信号を所定時間生成させ、判定ステップで、生成ステップで生成される記録信号のランレングスごとの発生頻度を読取り、正常発生頻度の期待値と比較して、信号処理ユニットの正常性が判定されて、第３の発明のＬＳＩテスタの性能を越える高速度で動作する情報記録再生装置の信号処理ユニットの高精度の検査を、記録される情報の外部からの取り込みなしに効率的に行うことが可能になる。
【００３１】
第６の発明によると、第４の発明の信号処理ユニットに対して、生成ステップで、第２の格納手段から読み出された検査用変調前情報に基づいて、記録信号生成手段により記録信号を所定時間発生させ、判定ステップで、生成ステップで生成される記録信号のランレングスごとの発生頻度を読取り、正常発生頻度の期待値と比較して、信号処理ユニットの正常性が判定されて、第４の発明のＬＳＩテスタの性能を越える高速度で動作する情報記録再生装置の信号処理ユニットの高精度の検査を、記録される情報の外部からの取り込みと符号化処理なしに、より効率的に行うことが可能になる。
【００３２】
第７の発明によると、第３の発明の信号処理ユニットに対して、生成ステップで、第１の格納手段から読み出された検査用所定情報に基づいて、記録信号生成手段により記録信号を所定時間発生させ、判定ステップで、生成ステップで生成される記録信号のＤＳＶ値を読取り、正常時のＤＳＶ値の期待値と比較して、信号処理ユニットの正常性が判定されて、第３の発明のＬＳＩテスタの性能を越える高速度で動作する情報記録再生装置の信号処理ユニットの高精度の検査を、記録される情報の外部からの取込なしに効率的に行うことが可能になる。
【００３３】
第８の発明によると、第４の発明の信号処理ユニットに対して、生成ステップで、第２の格納手段から読み出された検査用変調前情報に基づいて、記録信号生成手段により記録信号を所定時間発生させ、判定ステップで、生成ステップで生成される記録信号のＤＳＶ値を読取り、正常時のＤＳＶ値の期待値と比較して、信号処理ユニットの正常性が判定されて、第４の発明のＬＳＩテスタの性能を越える高速度で動作する情報記録再生装置の信号処理ユニットの高精度の検査を、記録される情報の外部からの取り込みと符号化処理なしに、より効率的に行うことが可能になる。
【００３４】
第９の発明によると、第５の発明ないし第８の発明の何れかの発明で得られる効果に加えて、ＰＬＬを発振周波数一定となる制御で動作させ、実際の記録動作と同一の発振周波数で、書込基準クロックを発生させ、該基準クロックに基づき作成される記録信号によって、信号処理ユニットの検査を、実記録時と同様の基準クロックでの動作雰囲気下で行うことが可能になる。
【発明を実施するための最良の形態】
【００３５】
［実施の形態］
本発明の一実施の形態を図１ないし図４を参照して説明する。
図１は本実施の形態のエンコードデータ処理ユニットの構成を示すブロック説明図、図２は本実施の形態のテスト判定ユニットの構成を示す回路説明図、図３は本実施の形態の記録動作時の信号波形図、図４は本実施の形態の基礎となるエンコードデータ処理ユニットの構成を示すブロック説明図である。
【００３６】
ＤＶＤ−Ｒへの記録再生を行う情報記録再生装置に組み込まれ、本実施の形態の基礎となる通常のエンコードデータ処理ユニットＥＵｏは、図４に示すように構成されており、このエンコードデータ処理ユニットＥＵｏには、情報の授受と記憶に基づき全体の動作を制御するバッファマネージャー６が設けられている。このバッファマネージャー６には、外部から記録情報などのユーザデータが入力されるホストインタフェース１、各種の情報が一時的に書込まれ、また読み出されるＤＲＡＭなどの一時記憶メモリ２、マイコンからのデータが入力されるマイコンインタフェース１０、記録情報の符号化処理を行う符号化回路３、及び記録情報が符号化処理されて得られる符号化信号から、ＤＶＤ−Ｒへの記録に使用する記録信号を作成する記録信号作成回路５が接続されている。
前述の符号化回路３には、ホストインタフェース１を介して入力される記録情報に、ＩＤ、リザーブ情報、エラー訂正用の横方向のＰＩパリティコード、エラー検出用のＥＤＣコードを付加し、スクランブルコードでスクランブルする機能を有する第１の符号化回路３ａと、縦方向のＰＯパリティコードを付加する機能を有する第２の符号化回路３ｂとが設けられている。
【００３７】
また、記録信号作成回路５は、符号化回路３で記録情報が符号化されて得られる符号化信号を、高密度記録が可能で、自己同期が取り易く、さらに信号伝送帯域が狭くて記録に適した記録信号に変調する機能を有しており、図４はＤＶＤを記録対象とする場合で、記録信号作成回路５には、（２，１０：８，１６）変換に対応するＥＦＭｐｌｕｓ変換を実行する８−１６変調回路１２と、ＤＶＤへの書込動作を制御するＤＶＤ記録制御回路１１とが設けられ、ＤＶＤ記録制御回路１１には、ディスク上のアドレス情報を再生するＡＤＩＰ再生回路７と、ディスクの回転数に同期した書込基準クロックを生成するＷｃｋＰＬＬ８とが接続されている。
【００３８】
一般に、この種の情報記録再生装置では、符号化処理された符号化信号を、前述したようにディスクへの記録に適する記録信号に変調して記録が行われ、例えばＣＤへの記録に際しては、ＥＦＭ変換（Ｆｉｇｈｔ  ｔｏ  Ｆｏｕｒｔｅｅｎ  Ｍｏｄｕｒａｔｉｏｎ）方式で８−１４変換が行われ、この変換方式では、同一ビット状態の連なり数をラン、符号化情報に許される最小ランをｄ、最大ランをｋ、記録情報の語長をｍ、符号化情報の語長をｎとして、これを（ｄ，ｋ：ｍ，ｎ）変換で表すと、（２，１０：８，１７）変換に対応する。
この場合は、８ビットの記録情報が１４ビットの符号と３ビットのマージンビットからなる１７ビットの記録信号に変調され、この変調に際しては、変調された記録信号は、“１”のビット間に位置する“０”のビット数の最小が２、最大が１０というランレングス制約を満足するように変調が行われる。また、マージンビットは、ランレングス制約を満足し、且つ符号化情報の直流成分の評価基準であるＤＳＶ値が小さくなるように、マージンビット候補中から選択して付加される。
ここで、ＤＳＶ（Ｄｉｇｉｔａｌ  Ｓｕｍ  Ｖａｒｉａｔｉｏｎ）とは、２状態を取るビット列の一方の状態のビットを＋１、他方のビットを−１として、ビット列の先頭から行う累積演算であり、この演算で得られるＤＳＶ値を小さくすると低周波成分を抑圧して、記録・再生時にサーボエラー信号の変動を防止し、閾値のふらつきによる読出エラーの発生を防止できることが知られている。
【００３９】
図４では、ＤＶＤを記録媒体とする場合で、記録信号生成回路５には、ＥＦＭｐｌｕｓ変換方式で、（２，１０：８，１６）変換を行う８−１６変調回路１２が設けられ、８ビットの記録情報が、１６ビットの記録信号に変調される。この場合、記録情報が与えられるごとに、複数の変換表から所定の手順に従って一つの変換表が選択されて、記録情報の符号化が行われ記録信号に変調される。先ず、直前の変換で得られる符号化信号の後端のラン長によって、接続部分で（２，１０）のランレングス制約を満足するように、且つＤＳＶ値が小さくなるように、次の変換で使用される主または副変換表が選択される。
また、ＤＳＶ値は、ランレングスが１３となるものを含むコードを同期コードとして、自己同期が取り易くなるように設定されている。
このようにして、記録信号生成回路５の８−１６変調回路１２からは、記録情報が、図３（ｂ）に示すようにＥＦＭｐｌｕｓ変換された記録信号であるＥＭＦＰＬＵＳ信号が出力され、ＤＶＤ記録制御回路１１からは、図３（ａ）に示すような書込制御信号であるＷＧＡＴＥ信号が出力され、ＷＧＡＴＥ信号の論理値が“１”の期間に、ＤＶＤにＥＭＦＰＬＵＳ信号が記録される。
【００４０】
ところで、本実施の形態のエンコードデータ処理ユニットＥＵは、図１に示すような構成を有し、本実施の形態の基礎となる図４で説明したエンコードデータ処理ユニットＥＵｏに対して、バッファマネージャー６に、テストモード設定回路１３、１４の一方の入力端子がそれぞれ接続され、テストモード設定回路１３、１４の他方の入力端子には、テスト用データが入力自在となっており、テストモード設定回路１３の出力端子が符号化回路３に接続され、テストモード設定回路１４の出力端子が記録信号生成回路５に接続されている。
そして、本実施の形態では、図示せぬテストシステムに接続される外部ＲＯＭに、記録される情報の所定量が検査用所定情報として予め格納され、また、この外部ＲＯＭには、記録される情報の所定量が符号化された変調前の情報が、検査用変調前情報として予め格納されており、このＲＯＭから検査用所定情報、或いは検査用変調前情報がテスト用データとして選択されて、テストモード設定回路１３或いはテストモード設定回路１４に取込み可能な構成となっている。
本実施の形態のエンコードデータ処理ユニットＥＵのその他の部分の構成は、すでに図４を参照して説明した本実施の形態の基礎となるエンコードデータ処理ユニットＥＵｏと同一なので、重複する説明は行わない。
【００４１】
さらに、本実施の形態には、図２に示すようなテスト判定ユニットＴＵが設けられ、このテスト判定ユニットＴＵには、ＥＦＭＰＬＵＳ信号が入力されるフリップフロップ１６が設けられ、フリップフロップ１６の後段に、フリップフロップ１６の入力端子が、第１の入力端子に、フリップフロップ１６の出力端子が、第２の入力端子にそれぞれ接続されたＥＸＯＲ回路１７が配設され、ＥＸＯＲ回路１７の出力端子は、カウンタ１８のＣＬＲ端子とＡＮＤ回路２０の一方の入力端子に接続され、ＡＮＤ回路２０の他方の入力端子にはＷＧＡＴＥ信号が入力されている。
また、テスト判定ユニットＴＵには、ＡＮＤ回路２４の出力端子がＵｐ端子に、ＡＮＤ回路２６の出力端子がＤｏｗｎ端子に、それぞれ接続されたアップダウンカウンタ２７が設けられ、ＡＮＤ回路２４の一方の入力端子にはＥＦＭＰＬＵＳ信号が入力され、ＡＮＤ回路２６の一方の入力端子には、ＥＦＭＰＬＵＳ信号がＮＯＴ回路２５を介して接続され、ＡＮＤ回路２４、２６の他方の入力端子にはＷＧＡＴＥ信号が入力されている。
【００４２】
カウンタ１８の出力端子には、デコード回路２１ａ〜２１ｎが互いに並列に接続され、デコード回路２１ａ〜２１ｎの出力端子は、ＡＮＤ回路２２ａ〜２２ｎの一方の入力端子にそれぞれ接続され、ＡＮＤ回路２２ａ〜２２ｎの他方の入力端子には、ＡＮＤ回路２０の出力端子がそれぞれ接続されている。
また、ＡＮＤ回路２２ａ〜２２ｎの出力端子には、それぞれカウンタ２３ａ〜２３ｎが接続され、ＰＲＥＰＡＲＥ信号がＮＯＴ回路１５を介して、フリップフロップ１６、カウンタ１８、アップダウンカウンタ２７、及びカウンタ２３ａ〜２３ｎの制御端子に接続されている。
【００４３】
以上に説明したような構成のエンコードデータ処理ユニットＥＵとテスト判定ユニットＴＵを有する本実施の形態の検査動作を説明する。
検査動作時には、被検査ＬＳＩと外部ＲＯＭが、検査専用ボードなどのテストシステムに接続され、この外部ＲＯＭには、検査用所定情報及び検査用変調前情報が予め格納されており、マイコンインタフェース１０を介してのアクセスにより、検査用所定情報と検査用変調前情報の何れかを選択して取込可能になっている。
先ず、第１のテストモードが設定される場合について説明する。
第１のテストモードでは、マイコンの操作により、マイコンインタフェース１０からの第１のテストモード信号により、テストモード設定回路１３が第１のテストモードに設定され、マイコンインタフェース１０を介して、ＷｃｋＰＬＬ８に対して、ＣＬＶ（Ｃｏｎｓｔａｎｔ  Ｌｉｎｅａｒ  Ｖｅｌｏｃｉｔｙ）方式が指定され、１６倍速では書込基準クロックは、２６．１６ＭＨｚ×１６＝４１８．５６ＭＨｚに設定される。
一般には、角速度一定のＣＡＶ（Ｃｏｎｓｔａｎｔ  Ａｎｇｕｌａｒ  Ｖｅｌｏｃｉｔｙ）方式が採用されるが、故障及び動作マージンのテストにＣＬＶ方式が指定されても問題はなく、この方式では、ディスクからのＡＤＩＰ再生信号が不要となり、ＷｃｋＰＬＬ８によっては制御が容易となりテストが効率的に行われる。
【００４４】
次いで、マイコンインタフェース１０を介して、符号化回路３に対して、付加情報の指定が行われ、ＩＤ、リザーブ情報、及びＥＣＣ１ブロックの符号化データ量の指定が行われ、符号化スタート命令が発せられる。
この符号化スタート信号が、バッファマネージャー６を介して符号化回路３に入力されると、符号化回路３によって指定された付加情報は、バッファマネージャ６を介して一時記憶メモリ２に書き込まれる。
また、第１のテストモードの設定によって、外部ＲＯＭに予め格納されている記録される情報の所定量である検査用所定情報が読み出されて、読み出された検査用所定情報は、テストモード設定回路１３を介して符号化回路３に入力される。そして、第１の符号化回路３ａにおいて、一時記憶メモリ２から指定付加情報の取り込みを行いながら、スクランブルコードでのスクランブル化、セクタ単位ごとのＥＤＣコードの生成、横方向のＰＩパリテイの生成が行われ、得られた符号化処理データは、バッファマネージャー６によって一旦一時記憶メモリ２に書き込まれ、再度読み出されて第２の符号化回路３ｂにおいて、縦方向のＰＯパリテイが生成された後に、バッファマネージャー６によって、一時記憶メモリ２にＥＣＣブロック単位で記録されて符号化処理が終了する。
この場合は、必要に応じて、符号化処理回路３による符号化の終了後に、一時記憶メモリ２から符号化データを読み出して、期待値と比較することにより、符号化回路３に対して高精度のテストを行なうことができる。
【００４５】
本実施の形態では、第１のテストモード時には、以上に説明したようにして、符号化回路３で符号化されたデータに基づいて、記録信号生成回路５によって、記録信号の作成が行われる。
この場合、マイコンインタフェース１０を介して、記録終了位置が、例えばＥＣＣの１ブロックに対応して設定され、記録開始指令が設定されるのと同時に、記録信号生成をＡＤＩＰ再生信号アドレスによらずに開始するマニュアル記録開始指令が設定される。
マニュアル記録開始指令が設定されると、符号化終了後のデータが、バッファマネージャー６を介して一時記憶メモリ２から読み出され、記録信号生成回路５に入力される。
そして、記録信号生成回路５において、すでに、図４を参照して説明したようにして、８−１６変調回路１２によって、８−１６変調が行われ、書込用基準クロック４１８．５６ＭＨｚに同期して、記録信号であるＥＦＭＰＬＵＳ信号が生成される。
【００４６】
一方、第２のテストモードが設定されると、外部ＲＯＭから予め格納されている符号化された変調前の情報の所定量である検査用変調前情報が、テストモード設定回路１４を介して、記録信号生成回路５に直接入力され、この検査用変調前情報に基づいて、同様にして８−１６変調回路１２によって、８−１６変調が行われ、書込用基準クロック４１８．５６ＭＨｚに同期して、記録信号であるＥＦＭＰＬＵＳ信号が生成される。
【００４７】
本実施の形態の信号処理ユニットの検査は、記録信号生成回路５で生成されるＥＦＭＰＬＵＳ信号とＷＧＡＴＥ信号が、図２に示すテスト判定ユニットＴＵに入力されることによって行われる。
この場合、フリップフロップ１６とＥＸＯＲ回路１７によって、カウンタ１８の計数動作が、ＥＦＭＰＬＵＳ信号の変化点でクリアされ、ＥＦＭＰＬＵＳ信号のランレングスが計測される。また、カウンタ１８の計数値が、デコード回路２１ａ〜２１ｎによって、２カウント未満、２〜１３の各カウント値、１４カウント以上に、それぞれデコードされる。次いで、ＡＮＤ回路２０とＡＮＤ回路２２ａ〜２２ｎのそれぞれを介して、カウンタ２３ａ〜２３ｎの内で、ＥＦＭＰＬＵＳ信号の変化点で、条件が成立したカウンタがインクリメントされ、ＷＧＡＴＥ信号の変化点で該カウンタがホールドされる。
この状態で、カウンタ２３ａ〜２３ｎの計数値Ｃ２〜Ｃ１５が、マイコンインタフェース１０を介して外部からテストのために読み取られる。
このようにすると、予め設定した記録情報を変調した場合の該記録信号に対する各レン
グスごとの発生頻度の期待値と、読み取った計数値を比較することにより、情報記録再生装置のＬＳＩテスタの性能を越える超高速動作を行う信号処理ユニットが、各ランレングスの発生頻度に基づいて、高精度で効率的に検査される。
【００４８】
一方、アップダウンカウンタ２７を、ＥＦＭＰＬＵＳ信号の論理値が“１”の時にインクリメントさせ、ＥＦＭＰＬＵＳ信号の論理値が“０”の時にデクリメントさせることによって、ＥＦＭＰＬＵＳ信号のＤＳＶ値が計測され、期待値と比較することにより、情報記録再生装置のＬＳＩテスタの性能を越える超高速動作を行う信号処理ユニットが、ＤＳＶ値により、高精度で効率的に検査される。
【００４９】
以上に説明したように、本実施の形態によると、テストシステムに検査用所定情報及び検査用変調前情報が予め格納された外部ＲＯＭが設けられ、第１のテストモードが設定されると、マイコンインタフェース１０を介するアクセスにより、外部ＲＯＭから検査用所定情報が選択されて、テストモード設定回路１３から符号化回路３に取り込まれ、この検査用所定情報に基づいて、符号化回路３により所定のフォーマットに従って、ＩＤ、ＩＥＤ、リザーブ情報、ＥＤＣ、パリテイコードの付加と、スクランブル処理との符号化処理が行われ、符号化処理が終了したデータが、記録信号生成回路５の８−１６変調回路１２で８−１６変調されてＥＦＭＰＬＵＳ信号が生成され、ＤＶＤ記録制御回路１１によりＷＧＡＴＥ信号が生成される。また、第２のテストモードが設定されると、マイコンインタフェース１０を介するアクセスにより、外部ＲＯＭから検査用変調前情報が選択されて、テストモード設定回路１４を介して、記録信号生成回路５に直接取り込まれ、取り込まれた検査用変調前情報に基づいて、ＥＦＭＰＬＵＳ信号とＷＧＡＴＥ信号が作成される。
【００５０】
そして、何れのテストモードの場合でも、記録信号生成回路５から出力されるＥＦＭＰＬＵＳ信号とＷＧＡＴＥ信号が、テスト判定ユニットＴＵに入力され、カウンタ１８の計数動作が、ＥＦＭＰＬＵＳ信号の変化点でクリアされ、ＥＦＭＰＬＵＳ信号のランレングスが計測され、得られる計数値が、デコード回路２１ａ〜２１ｎにより、２カウント未満、２〜１３の各カウント値、１４カウント以上に、デコードされ、カウンタ２３ａ〜２３ｎの内で、ＥＦＭＰＬＵＳ信号の変化点で、条件が成立したカウンタがインクリメントされ、ＷＧＡＴＥ信号の変化点でホールドされた計数値Ｃ２〜Ｃ１５が、マイコンインタフェース１０を介して外部からテストのために読み取られ、各ランレングスごとの発生頻度の期待値と比較されて、情報記録再生装置のＬＳＩテスタの性能を越える超高速動作を行う信号処理ユニットの動作を各ランレングスの発生頻度に基づいて高精度で効率的に検査することが可能になる。
一方では、アップダウンカウンタ２７を、ＥＦＭＰＬＵＳ信号の論理値“１”でインクリメントし、論理値“０”でデクリメントすることにより、ＥＦＭＰＬＵＳ信号のＤＳＶ値が計測され、期待値と比較することにより、情報記録再生装置のＬＳＩテスタの性能を越える超高速動作を行う信号処理ユニットの動作をＤＳＶ値に基づいて高精度で効率的に検査することが可能になる。
【００５１】
なお、実施の形態では、検査用所定情報及び検査用変調前情報が予め格納された外部ＲＯＭから、マイコンインタフェース１０を介してのアクセスにより、検査用所定情報と検査用変調前情報の何れかを選択して取込む場合を説明したが、本発明は、以上に説明した実施の形態に限定されるものではなく、例えば、テスト開始信号により、別途設けたカウンタから、検査用所定情報または検査用変調前情報に対応する連続データを出力する方式にしたり、さらに構成を簡単にするために、０データなどの固定データをテスト用データとして入力することも可能である。
また、実施の形態では、ランレングス２未満から１４以上までを各カウンタで計数しているが、２未満、１１、１２、１４以上は、ＣＤやＤＶＤの場合には不要なので、これらをまとめて１個のカウンタに対応させてもよい。
さらに、実施の形態では、ＷｃｋＰＬＬ８は発振周波数一定に制御し、記録開始タイミングは、開始指令と同時にスタートするようにしているが、ＣＡＶ方式でＡＤＩＰアドレスと同期して、自動的にスタートするようにすると、ＷｃｋＰＬＬ８の制御検査とＡＤＩＰ再生回路７の動作を同時に行うことができる。この場合は、テストシステムに信号発生器を加え、この信号発生器からＡＤＩＰ信号を、ＡＤＩＰ再生回路７及びＷｃｋＰＬＬ８に入力するとよい。
【図面の簡単な説明】
【００５２】
【図１】本発明の一実施の形態のエンコードデータ処理ユニットの構成を示すブロック説明図である。
【図２】同実施の形態のテスト判定ユニットの構成を示す回路説明図である。
【図３】同実施の形態の記録動作時の信号波形図である。
【図４】同実施の形態の基礎となるエンコードデータ処理ユニットの構成を示すブロック説明図である。
【符号の説明】
【００５３】
２  一時記憶メモリ
３  符号化回路
５  記録信号生成回路
６  バッファマネージャー
１０  マイコンインタフェース
１１  ＤＶＤ記録制御回路
１２  ８−１６変調回路
１３、１４  テストモード設定回路
１８  カウンタ
２１ａ〜２１ｎ  デコード回路
２３ａ〜２３ｎ  カウンタ
２７  アップダウンカウンタ
【要約】
【課題】  ＬＳＩテスタの性能以上に高速動作する信号処理ユニットの検査を効率的に行う検査方法の提供。                                                              【解決手段】  外部ＲＯＭから検査用所定情報を符号化回路３に取込むと、各種情報付加、スクランブル処理後記録信号生成回路５が８−１６変調し、外部ＲＯＭから検査用変調前情報を記録信号生成回路５に取込むと直接８−１６変調し、ＥＦＭＰＬＵＳ信号とＷＧＡＴＥ信号がテストが判定ユニットＴＵで、カウンタ１８の計数のＥＦＭＰＬＵＳ信号変化点のクリアでランレングスを得てデコード回路２１ａ〜２１ｎで計数デコードし、ＷＧＡＴＥ信号でのホールドで計数値Ｃ２〜Ｃ１５を検知しレングスの発生頻度を期待値と比較し、アップダウンカウンタ２７をＥＦＭＰＬＵＳ信号の論理値“１”と論理値“０”でアップダウンしＤＳＶ値を得て期待値と比較し、高速動作の信号処理ユニットをランレングスの発生頻度とＤＳＶ値により高精度で効率的に検査可能になる。
【選択図】  図２
【図１】
0003591734.tif 000002
【図２】
0003591734.tif 000003
【図３】
0003591734.tif 000004
【図４】
0003591734.tif 000005